(57)【要約】      （修正有）【課題】  進行方向に直交する方向に回転軸を有する回転ロータリ部を有する盛土装置と、畦を形成する上面ローラと円錐状ディスクから構成される畦形成装置において、旧畦に対して形成する畦の太さを容易に調節できる機構を提供する。【解決手段】  盛土装置３１の回転ロータリ部は、畦形成装置３２の円錐状ディスク面に対して左右方向の相互位置を可変自在に構成し、旧畦の掘削量を調節して畦の太さを調節する。また、盛土装置３１の盛土カバーである背面カバーの端部から円錐状ディスク３７に向けて延設したガイドカバーを設け、これを回動することで円錐状ディスク３７側に供給する盛土量を調節可能とし、回転ロータリ部の掘削量調節と相俟って畦の太さを容易に調節できる。【選択図】      図４
2006121928.tif 000002
【特許請求の範囲】
【請求項１】
トラクタに装着されるフレーム体と、フレーム体の一側部に設けた畦形成部とで構成された畦形成機において、畦形成部は進行方向に直交する方向に回動軸を有する回転ロータリ部からなる盛土装置と、畦を形成する上面ローラと円錐状ディスクから構成される畦形成装置とからなり、前記回転ロータリ部は水田の底面を削る大径爪と旧畦側面を削る小径爪を有する回転軸とからなり、この回転ロータリ部は前記円錐ディスク面に対して左右方向の相対位置を可変自在に構成したことを特徴としたトラクタに連結して使用する畦形成機。
【請求項２】
盛土装置の盛土カバーは、回転ロータリ部の上部を被覆する上面カバーと背面を仕切る背面カバーと、この背面カバーの端部から円錐状ディスクに向けて延設したガイドカバーから構成され、このガイドカバーは円錐状ディスク大径側端縁に対して左右に角度切換えを可能に設けたことを特徴とした請求項１記載のトラクタに連結して使用する畦形成機。
【発明の詳細な説明】
【技術分野】
【０００１】
本発明は、トラクタに連結して旧畦に平行に走行し、旧畦と旧畦下方の水田圃場面の一部を一旦削り、この削り取った土を旧畦上に盛土し、盛土された土を回転する畦形成装置により締め固めて、旧畦上に新畦を形成する畦形成機に関するものである。
【背景技術】
【０００２】
背景技術として、例えば同一出願人による特開２００４−２１５６３８号公報に示されるように、円筒状の畦上面を形成する上面ローラと畦側面を形成する円錐ディスクからなる畦形成装置と、進行方向に向けて直交する回転軸に掘削爪を設けた盛土装置とからなる畦形成機が知られている。盛土装置は適宜に旧畦側面と旧畦下方部の水田圃場面の一部を削って旧畦に盛土し、これを前記した畦形成装置がスリップ回転し締め固めて新畦を形成するものである。
【特許文献１】特開２００４−２１５６３８号公報
【発明の開示】
【発明が解決しようとする課題】
【０００３】
上記背景技術による畦形成機において、長年使用すると盛土量の過供給等により畦側面が厚くなり、いわゆる畦が太る現象が出てくるという問題がある。畦が太ると作物作付圃場面積が減少することとなり、結果的に作物収穫量が減少する不都合を招くこととなる。また、畦が細いため太くしたい場合に盛土量不足等により太くできない場合があった。
【０００４】
このため本発明の目的は、旧畦に対し形成する畦の太さを容易に調節できる機構を有した畦形成機を提供することにある。
【課題を解決するための手段】
【０００５】
上記課題を解決するために、トラクタに装着されるフレーム体と、フレーム体の一側部に設けた畦形成部とで構成された畦形成機において、畦形成部は進行方向に直交する方向に回動軸を有する回転ロータリ部からなる盛土装置と、畦を形成する上面ローラと円錐状ディスクから構成される畦形成装置とからなり、前記回転ロータリ部は水田の底面を削る大径爪と旧畦側面を削る小径爪を有する回転軸とからなり、この回転ロータリ部は前記円錐ディスク面に対して左右方向の相対位置を可変自在に構成したことを特徴としたトラクタに連結して使用する畦形成機を提供する。
【０００６】
また、上記畦形成機において、盛土装置の盛土カバーは、回転ロータリ部の上部を被覆する上面カバーと背面を仕切る背面カバーと、この背面カバーの端部から円錐状ディスクに向けて延設したガイドカバーから構成され、このガイドカバーは円錐状ディスク大径側端縁に対して左右に角度切換えを可能に設けたことを特徴としたトラクタに連結して使用する畦形成機を提供したものである。
【発明の効果】
【０００７】
上記のように構成したことにより請求項１記載の発明では、盛土装置の回転ロータリ部は、後方にある畦の側面部を形成する円錐ディスク面に対して左右方向に位置を可変できるため、畦が太い場合は円錐状ディスク面より外側への回転ロータリ部の突出量を多くし、逆に畦を厚く太らせたい場合は突出量を少なくし、旧畦の掘土量を調節することで自在に畦の太さを調節することができる。
【０００８】
また、請求項２記載の発明によると、盛土装置の回転ロータリ部の背面カバーの端部から円錐状ディスクに向けて延設したガイドカバーが、円錐状ディスク大径側端縁に対して左右に角度調節できるように構成されているため旧畦が細かく所定の畦形状より土量が不足する場合は、ガイドカバーの端部を円錐ディスクの上面側に位置させ盛土装置から供給する盛土の全部を活用する。又、旧畦が太って膨張している場合には、ロータリ部の掘削土を排除するためにガイドカバーの端部を円錐ディスクの背面側に位置させて、掘削土の供給量を逃がして少なくしてやると旧畦を細く成形することが可能となる。
【０００９】
さらに請求項１記載の発明で説明した回転ロータリ部の左右の突出量の調節と組み合わせることにより、希望するより精度の良い畦形成を行うことができる。
【発明を実施するための最良の形態】
【００１０】
以下、本発明の実施の形態を図面に基づいて説明する。図１は本発明を実施した畦形成機の前進作業時の平面図、図２は前進作業時の右側面図、図３は走行移動時の一部を省略した左側面図、図４は畦形成部の要部の位置関係を示した後面図、図５は駆動部の断面説明図、図６は回転ロータリの突出量可変構造の説明図、および図７は盛土ガイドカバーの作用説明図を示したものである。
【００１１】
１は装着フレームを示し、前方に一対のロアピン１１及びトップブラケット１２を有して、図示していないがトラクタの後部三点リンクヒッチに連結される。２は支持フレームを示し、基部は装着フレーム１の後部略中心部に設けた回転軸４によって水平方向旋回自在に支持されて、その他方端にはパイプフレーム２２を介して畦形成部３を配置してなる。パイプフレーム２２は支持フレーム２の外周を摺動自在に構成している。畦形成部３は掘削爪３６を有した盛土装置３１と、畦上面削土装置３３及び畦形成装置３２から構成される。盛土装置３１は、進行方向に直交するロータリ部を有して、ロータリ部の掘削爪３６の掘削土を旧畦側へ盛土するものである。
【００１２】
７は盛土カバーを示し、盛土装置３１の掘削爪３６を有したロータリ部の一部を被覆し、掘削土を誘導し旧畦側へ盛土として供給するものである。７７は盛土カバー７の上面カバー７１を後方に延設して，畦上面削土装置の上面を被覆する上面延長カバーである。３７は円錐ディスクを示し、スリップ回転しながら盛土を掻き込んで圧縮形成するものである。
【００１３】
４３は連結ロッドを示して、装着フレーム側の回転軸４より前進方向の前方に位置した第１ピン４１と、畦形成部側のパイプフレーム２２の上部に設けた第２ピン４２とに掛け渡したものである。連結ロッド４３は本実施例においては、ターンバックル構造で中央胴体枠の両端に左ネジ、右ネジ軸を差し込んだもので、左右のネジ軸端が第１ピン４１と第２ピン４２とに固着されており、中央胴体を回転することにより、連結ロッド長さを伸縮するものである。
【００１４】
畦形成部３が前進作業位置および後進作業位置において、連結ロッド長さを伸縮させることにより畦形成部３をトラクタ進行方向左右へ移動させることができ、各トラクタのタイヤ巾に合わせた位置に調節することができる。また、移動走行位置に回動した時は、連結ロッド４３の作用によりトラクタ側へ畦形成部３をパイプフレーム２２が支持フレーム２を摺動して移動し、単純に支持フレームを回動させた場合に比較して、重心位置がトラクタ側へ近くなり、移動走行する場合のバランスが良くなる。
【００１５】
装着フレーム１の中央部の下方に伝達部５を設けてあり、５２はダブル広角ジョイントを示し、トラクタＰＴＯ軸から動力が伝導される伝達部を構成し、畦形成部３の入力伝達ケース５４に回転力を伝える。伝達部５はトラクタから入力される入力軸５１を設けて、後端にダブル広角ジョイント５２の前端を連結する。ダブル広角ジョイント５２の他端は、入力伝達ケース５４の伝達軸５３に連結され、畦形成作業時の前記入力軸５１に対する取り付け角度と伝達軸５３への取り付け折れ角はほぼ同一である。
【００１６】
２３はボス軸で、支持フレーム２の基部に上下方向に連結され、回転軸４に対して回動自在に設けられ、２４の固定板を水平に設けている。６は操作ハンドルで、６１のワイヤケーブルを介して遠隔操作するもので、前記した固定板２４に対して支持フレーム２の回動位置の固定解除をするロックピン６２の操作をするものである。ボス軸２３に設けた固定板２４の係合孔にロックピン６２が係合して支持フレーム２の旋回を阻止していて、６１のワイヤケーブルを操作ハンドルによって引くとロックピン６２は下降して固定を解除する。
【００１７】
固定板２４には係合孔６３が３個設けられ、それぞれの位置にロックピン６２を挿入させると前進作業位置と移動走行位置および後進作業位置に畦形成部３を旋回して固定できる。操作ハンドル６を引くと６１のワイヤケーブルがリンクロッド６４の一方のブラケットを引き上げ、他方部のブラケットが下方へ下がりロックピン６２が下降して、固定板２４の係合孔６３から解除されて、支持フレーム２の旋回によって固定板の係合孔６３を選択して操作ハンドルを戻して固定する。ロックピン６２と連結ロッド４３の作用により畦形成部３を旋回して固定できる。
【００１８】
移動走行時は、畦形成部３を回転軸４を支点にトラクタの後方側に前進作業位置から９０°旋回させることにより、トラクタの車幅と同等に畦形成機が納まるため、移動走行がしやすくなる。また前進作業位置から１８０°旋回させた後進作業位置にすることにより、前進作業位置で作業できない圃場四隅の残耕部を、トラクタを後進させての後進作業により処理することができる。
【００１９】
図４は畦形成作業時の盛土装置の掘削爪３６と畦形成装置３２の円錐ディスク３７の位置関係を後方視により図示したもので、盛土装置部の掘削爪３６は水田の底面を削る大径爪と旧畦側面を削る小径爪が設けられ、これが回転し掘削するとともに旧畦部に掘削した土を掻き飛ばし盛り上げていく。３３は畦上面削土装置で、不要の場合は駆動軸根元部より取り外しできるように構成されていて、旧畦の上面の表層部を削り雑草等と表土および盛土と混和させるためのものである。円錐ディスク３７に対し、畦Ａに直交する方向に回転軸を有した掘削爪３６を左右にＹ範囲において移動させることにより、畦側面部の掘削量が増減し、畦Ａの成形太さを調節できる。
【００２０】
図５において、本発明の畦形成機の駆動部を説明すると、図示されていないがトラクタＰＴＯ軸と入力軸５１はユニバーサルジョイントで連結されて動力は畦形成機へ伝達される。
【００２１】
入力軸５１へ伝達された動力は、他方端に連結されたダブル広角ジョイント５２により畦形成部３を駆動させる入力軸５１と直交する方向の伝達軸５３へ伝達される。入力伝達部５４内には前記伝達軸５３に固着されたスプロケット８０ａとこの下方に位置する中間駆動軸８２ａに固着されたスプロケット８０ｂとがローラチェーン８１ａを巻着させることで連結連動されている。
【００２２】
中間駆動軸８２ａの一方端には、上面削土駆動軸８２ｂが連結されて畦上面削土装置３３を駆動する。畦上面削土装置３３はロータ軸８２ｅの外周に複数の削土用の爪８３を放射状に設けて、この爪８３を回転させ畦上面を削土するように構成されている。
【００２３】
また中間駆動軸８２ａの他方端には、畦形成装置３２を駆動するスプロケット８０ｃと盛土装置３１を駆動するスプロケット８０ｅが固着されて、それぞれ掛け渡されたローラチェーン８１ｂ，８１ｃにより動力は各部へ伝達される。
【００２４】
畦形成装置３２を一方端に設けた畦形成駆動軸８２ｄは、他方端に第２チェーンケース３５内のスプロケット８０ｄが固着されていて、該スプロケット８０ｄと前記中間駆動軸８２ａのスプロケット８０ｃとにローラチェーン８１ｂが巻着されて動力が伝達され畦形成装置３２は駆動される。
【００２５】
一方、前記中間駆動軸８２ａに固着され第１チェーンケース３４内に設けたスプロケット８０ｅと盛土装置３１を駆動する盛土駆動軸８２ｃに固着したスプロケット８０ｆに、ローラチェーン８１ｃが巻着され盛土装置３１は駆動される。
【００２６】
図６において、本発明の盛土装置３１の掘削爪３６部の左右への移動調節構造の一例を説明する。水田の底面を削る大径爪と旧畦の側面を削る小径爪で構成された掘削爪３６は盛土ロータ軸３１ａに放射状に取り付けられ、これを回転させることで土を掘削するとともに掘削した土を旧畦上に盛り上げるように掻き飛ばす作用をする。
【００２７】
盛土ロータ軸３１ａは、これを駆動する盛土駆動軸８２ｃに一方端を挿入して保持されるとともに、盛土ロータ軸３１ａの一方端に設けたフランジと盛土駆動軸８２ｃのフランジとを盛土ロータ軸３１ａの回転軸と平行に設けたシャーピン３１ｂにより締着させ駆動される。掘削爪３６が異物等に当たり過負荷が作用した時にシャーピン３１ｂが切断され駆動側を保護する。
【００２８】
盛土駆動軸８２ｃは、これを駆動するスプロケット８０ｆのスプライン穴にスプライン軸部３１ｅを挿入して保持されて動力は伝達され駆動している。このスプライン軸部３１ｅにより盛土駆動軸８２ｃとこれに取り付けられた盛土ロータ軸３１ａは左右に移動自在となっている。移動は盛土駆動軸８２ｃの盛土ロータ軸３１ａと反対側の端面に設けたネジ穴にネジシャフト３１ｃを螺入させ、ネジシャフト３１ｃの一方端側を第１チェーンケース３４の盛土ロータ軸３１ａと反対側の側面に設けたスライド調節ケース３１ｆ内にベアリングにより正逆回転自在に保持させ、このネジシャフト３１ｃをスライド調節ケース３１ｆのキャップ３１ｇを外し、別に用意したハンドル３１ｄ等により正転逆転させると、ネジ部の作用により盛土駆動軸８２ｃを左右に移動させることができる。これの作用により、旧畦の側面盛土面の位置を円錐ディスク３７面に対し調節することができる。
【００２９】
図７において、畦形成部の盛土カバー７の作用について説明する。
７は盛土カバーを示し、盛土装置の回転ロータリ部の上部を被覆する上面カバー７１と、背面を仕切って掘削土を旧畦側へ案内供給する背面カバー７２と、この背面カバー７２の端部から畦形成装置の円錐ディスク３７に向けて延設したガイドカバー７３から構成される。７６はヒンジでガイドカバー７３を進行方向に対して左右回動させるものである。７８はゴム板で背面カバー７２の下端に延設したもので、水田の凸面等に接触した場合は撓んで逃げる。又、７８１はゴム板でガイドカバー７３の後方部を延設したもので、適宜な弾性力があるから円錐ディスク３７の端縁と重合させて配置可能である。
【００３０】
背面カバー７２には調節孔８が３個設けられている。ガイドカバー７３には係合片７５が設けられ、７４の調節ロッドをこの係合片７５と前記した調節孔８の所定の孔を選択して掛け渡す。ガイドカバー７３の実線は、掘削土の盛土を円錐ディスク３７の端縁に対して背面に逃す方向（Ｆ２）を示したものである。ガイドカバー７３の仮想線で示したものは円錐ディスク３７の上面側へ位置したもので、盛土量が所定の畦形状に不足ぎみの時には、盛土全量を旧畦方向（Ｆ１）へ供給するものである。
【図面の簡単な説明】
【００３１】
【図１】本発明を実施した畦形成機の前進作業時の平面図
【図２】前進作業時の右側面図
【図３】走行移動時の一部を省略した左側面図
【図４】畦形成部の要部の位置関係を示した後面図
【図５】駆動部の断面説明図
【図６】回転ロータリの突出量可変構造の説明図
【図７】盛土ガイドカバーの作用説明図
【符号の説明】
【００３２】
１      装着フレーム
１１    ロアピン
１２    トップブラケット
２      支持フレーム
２２    パイプフレーム
２３    ボス軸
２４    固定板
３      畦形成部
３１    盛土装置
３１ａ  盛土ロータ軸
３１ｂ  シャーピン
３１ｃ  ネジシャフト
３１ｄ  ハンドル
３１ｅ  スプライン軸部
３１ｆ  スライド調節ケース
３１ｇ  キャップ
３２    畦形成装置
３３    畦上面削土装置
３４    第１チェーンケース
３５    第２チェーンケース
３６    掘削爪
３７    円錐ディスク
４      回転軸
４１    第１ピン
４２    第２ピン
４３    連結ロッド
５      伝達部
５１    入力軸
５２    ダブル広角ジョイント
５３    伝達軸
５４    入力伝達ケース
６      操作ハンドル
６１    ワイヤケーブル
６２    ロックピン
６３    係合孔
６４    リンクロッド
７      盛土カバー
７１    上面カバー
７２    背面カバー
７３    ガイドカバー
７４    調整ロッド
７５    係合片
７６    ヒンジ
７７    上面延長カバー
７８    ゴム板
７８１  ゴム板
８      調節孔
８０ａ，８０ｂ，８０ｃ，８０ｄ，８０ｅ，８０ｆ    スプロケット
８１ａ，８１ｂ，８１ｃ    ローラチェーン
８２ａ  中間駆動軸
８２ｂ  上面削土駆動軸
８２ｃ  盛土駆動軸
８２ｄ  畦形成駆動軸
８２ｅ  ロータ軸
８３    爪
【図１】
2006121928.tif 000003
【図２】
2006121928.tif 000004
【図３】
2006121928.tif 000005
【図４】
2006121928.tif 000006
【図５】
2006121928.tif 000007
【図６】
2006121928.tif 000008
【図７】
2006121928.tif 000009